(57)【要約】【課題】ユーザにライブコンテンツをより確実に利用させることができる技術が望まれていた。【解決手段】本開示によれば、実行時間が予め設定されているライブコンテンツと、ライブコンテンツの実行時間とを関連付けてプレイリストに登録するライブコンテンツ登録処理部と、ライブコンテンツの実行時間よりも前の時間を、任意の時間に実行可能なアーカイブコンテンツの実行時間として決定し、アーカイブコンテンツと、アーカイブコンテンツの実行時間とをプレイリストに登録するアーカイブコンテンツ登録処理部と、を備える、情報処理装置が提供される。【選択図】図１
2013030899.tif 000002
【特許請求の範囲】
【請求項１】
実行時間が予め設定されているライブコンテンツと、前記ライブコンテンツの実行時間とを関連付けてプレイリストに登録するライブコンテンツ登録処理部と、
前記ライブコンテンツの実行時間よりも前の時間を、任意の時間に実行可能なアーカイブコンテンツの実行時間として決定し、前記アーカイブコンテンツと、前記アーカイブコンテンツの実行時間とを前記プレイリストに登録するアーカイブコンテンツ登録処理部と、を備える、情報処理装置。
【請求項２】
前記アーカイブコンテンツ登録処理部は、前記ライブコンテンツの実行開始時刻までの時間が所定のインターバル時間以下となる時刻を、前記アーカイブコンテンツの実行終了時刻として決定する、請求項１記載の情報処理装置。
【請求項３】
現在時刻が前記ライブコンテンツの実行開始時刻よりも前の時刻である場合に、前記ライブコンテンツが前記プレイリストに登録されている旨を報知する制御を行う報知制御部を備える、請求項１記載の情報処理装置。
【請求項４】
前記報知制御部は、現在時刻から前記ライブコンテンツの実行開始時刻までの残り時間を報知する制御を行う、請求項３記載の情報処理装置。
【請求項５】
前記報知制御部は、前記残り時間が所定の報知開始時間以下となった場合に、前記残り時間を報知する制御を行う、請求項４記載の情報処理装置。
【請求項６】
前記報知制御部は、前記ライブコンテンツの概要を報知する、請求項３記載の情報処理装置。
【請求項７】
複数のアーカイブコンテンツを取得するコンテンツ取得部を備え、
前記アーカイブコンテンツ登録処理部は、前記複数のアーカイブコンテンツの各々について、追加優先度を算出し、前記追加優先度の大きいアーカイブコンテンツから前記プレイリストに登録する、請求項１記載の情報処理装置。
【請求項８】
実行時間が予め設定されているライブコンテンツと、前記ライブコンテンツの実行時間とを関連付けてプレイリストに登録することと、
前記ライブコンテンツの実行時間よりも前の時間を、任意の時間に実行可能なアーカイブコンテンツの実行時間として決定し、前記アーカイブコンテンツと、前記アーカイブコンテンツの実行時間とを前記プレイリストに登録することと、を含む、情報処理方法。
【請求項９】
コンピュータに、
実行時間が予め設定されているライブコンテンツと、前記ライブコンテンツの実行時間とを関連付けてプレイリストに登録するライブコンテンツ登録処理機能と、
前記ライブコンテンツの実行時間よりも前の時間を、任意の時間に実行可能なアーカイブコンテンツの実行時間として決定し、前記アーカイブコンテンツと、前記アーカイブコンテンツの実行時間とを前記プレイリストに登録するアーカイブコンテンツ登録処理機能と、を実現させる、プログラム。
【請求項１０】
前記アーカイブコンテンツ登録処理機能は、前記ライブコンテンツの実行開始時刻までの時間が所定のインターバル時間以下となる時刻を、前記アーカイブコンテンツの実行終了時刻として決定する、請求項９記載のプログラム。
【請求項１１】
現在時刻が前記ライブコンテンツの実行開始時刻よりも前の時刻である場合に、前記ライブコンテンツが前記プレイリストに登録されている旨を報知する報知制御機能を備える、請求項９記載のプログラム。
【請求項１２】
前記報知制御機能は、現在時刻から前記ライブコンテンツの実行開始時刻までの残り時間を報知する制御を行う、請求項１１記載のプログラム。
【請求項１３】
前記報知制御機能は、前記残り時間が所定の報知開始時間以下となった場合に、前記残り時間を報知する制御を行う、請求項１２記載のプログラム。
【請求項１４】
前記報知制御機能は、前記ライブコンテンツの概要を報知する、請求項１１記載のプログラム。
【請求項１５】
複数のアーカイブコンテンツを取得するコンテンツ取得機能を備え、
前記アーカイブコンテンツ登録処理機能は、前記複数のアーカイブコンテンツの各々について、追加優先度を算出し、前記追加優先度の大きいアーカイブコンテンツから前記プレイリストに登録する、請求項９記載のプログラム。
【発明の詳細な説明】
【技術分野】
【０００１】
本開示は、情報処理装置、情報処理方法、及びプログラムに関する。
【背景技術】
【０００２】
例えば特許文献１に示されるようなインターネット技術においては、ライブコンテンツの配信が行われるようになってきている。ここで、ライブコンテンツは、実行時間、即ち実行開始時刻と実行終了時刻とが予め設定されているコンテンツである。即ち、ライブコンテンツを提供するサーバは、ライブコンテンツの実行開始時刻にライブコンテンツの配信を開始し、ライブコンテンツの実行終了時刻にライブコンテンツの配信を終了する。
【先行技術文献】
【特許文献】
【０００３】
【特許文献１】特開２０１１−１０８１４６号公報
【発明の概要】
【発明が解決しようとする課題】
【０００４】
しかし、ライブコンテンツは実行時間が予め設定されているので、ユーザは、ライブコンテンツの利用（視聴等）を忘れてしまうことがあった。そこで、ユーザにライブコンテンツをより確実に利用させることができる技術が望まれていた。
【課題を解決するための手段】
【０００５】
本開示によれば、実行時間が予め設定されているライブコンテンツと、ライブコンテンツの実行時間とを関連付けてプレイリストに登録するライブコンテンツ登録処理部と、ライブコンテンツの実行時間よりも前の時間を、任意の時間に実行可能なアーカイブコンテンツの実行時間として決定し、アーカイブコンテンツと、アーカイブコンテンツの実行時間とをプレイリストに登録するアーカイブコンテンツ登録処理部と、を備える、情報処理装置が提供される。
【０００６】
また、本開示によれば、実行時間が予め設定されているライブコンテンツと、ライブコンテンツの実行時間とを関連付けてプレイリストに登録することと、ライブコンテンツの実行時間よりも前の時間を、任意の時間に実行可能なアーカイブコンテンツの実行時間として決定し、アーカイブコンテンツと、アーカイブコンテンツの実行時間とをプレイリストに登録することと、を含む、情報処理方法が提供される。
【０００７】
また、本開示によれば、コンピュータに、実行時間が予め設定されているライブコンテンツと、ライブコンテンツの実行時間とを関連付けてプレイリストに登録するライブコンテンツ登録処理機能と、ライブコンテンツの実行時間よりも前の時間を、任意の時間に実行可能なアーカイブコンテンツの実行時間として決定し、アーカイブコンテンツと、アーカイブコンテンツの実行時間とをプレイリストに登録するアーカイブコンテンツ登録処理機能と、を実現させる、プログラムが提供される。
【０００８】
本開示によれば、ライブコンテンツの実行前にアーカイブコンテンツを実行することができるので、ライブコンテンツが登録されていることをユーザに促すことができる。
【発明の効果】
【０００９】
以上説明したように本開示によれば、ライブコンテンツが登録されていることをユーザに促すことができるので、ユーザにライブコンテンツをより確実に利用させることができる。
【図面の簡単な説明】
【００１０】
【図１】本開示の実施形態に係る情報処理システムを示す説明図である。
【図２】同実施形態に係る通信機器の構成を示すブロック図である。
【図３】同実施形態に係る提示制御装置の構成を示すブロック図である。
【図４】情報処理システムによる処理の手順を示すフローチャートである。
【図５】情報処理システムによる処理の手順を示すフローチャートである。
【図６】情報処理システムによる処理の手順を示すフローチャートである。
【図７】通信機器の表示画面に表示される画像の一例を示す説明図である。
【図８】通信機器の表示画面に表示される画像の一例を示す説明図である。
【図９】通信機器の表示画面に表示される画像の一例を示す説明図である。
【図１０】通信機器の表示画面に表示される画像の一例を示す説明図である。
【図１１】通信機器の表示画面に表示される画像の一例を示す説明図である。
【図１２】通信機器の表示画面に表示される画像の一例を示す説明図である。
【図１３】通信機器の表示画面に表示される画像の一例を示す説明図である。
【図１４】提示制御装置の表示画面に表示される画像の一例を示す説明図である。
【図１５】通信機器の表示画面に表示される画像の一例を示す説明図である。
【図１６】通信機器の表示画面に表示される画像の一例を示す説明図である。
【図１７】通信機器の表示画面に表示される画像の一例を示す説明図である。
【図１８】提示制御装置の表示画面に表示される画像の一例を示す説明図である。
【発明を実施するための形態】
【００１１】
以下に添付図面を参照しながら、本開示の好適な実施の形態について詳細に説明する。なお、本明細書及び図面において、実質的に同一の機能構成を有する構成要素については、同一の符号を付することにより重複説明を省略する。
【００１２】
なお、説明は以下の順序で行うものとする。
１．全体構成
２．通信機器の構成
３．提示制御装置の構成
４．情報処理システムによる処理の手順
【００１３】
＜１．全体構成＞
まず、図１に基づいて、本開示の実施形態に係る情報処理システム１０の全体構成について説明する。情報処理システム１０は、通信機器（情報処理装置）２０と、提示制御装置３０と、通信ネットワーク４０と、パーソナルコンピュータ（ＰＣ）５０と、サーバ６０とを備える。
【００１４】
通信機器２０は、ユーザが携行可能なモバイル機器であり、提示制御装置３０及びＰＣ５０との間で無線通信を行なうことができる。以下、特に断りがない場合、「ユーザ」は通信機器２０のユーザを意味する。
【００１５】
また、通信機器２０は通信ネットワーク４０に接続することができる。通信ネットワーク４０には、提示制御装置３０、ＰＣ５０、及びサーバ６０が接続されている。したがって、通信機器２０は、通信ネットワーク４０を介して、これらと通信を行うこともできる。
【００１６】
通信機器２０は、通信ネットワーク４０を介してサーバ６０から各種コンテンツを取得し、取得したコンテンツを提示することができる。即ち、通信機器２０は、画像コンテンツを表示領域（表示画面）２１ａに表示し、音声コンテンツ（音楽コンテンツ等）を図示しないスピーカから出力する。
【００１７】
なお、通信機器２０は、通信ネットワーク４０に接続可能であり、かつ、各種コンテンツを提示できればどのような機器であっても良く、例えば、デスクトップパソコン、ノートパソコン、ゲーム機等であってもよい。
【００１８】
提示制御装置３０は、各種コンテンツを提示する。即ち、提示制御装置３０は、画像コンテンツ等を表示画面３３ａに表示し、音声コンテンツを図示しないスピーカから出力する。また、提示制御装置３０は、通信機器２０との間で無線通信を行なう。また、提示制御装置３０は、通信ネットワーク４０に接続されており、通信ネットワーク４０を介して通信機器２０、ＰＣ５０、及びサーバ６０と通信を行うこともできる。
【００１９】
ＰＣ５０は、いわゆるデスクトップパソコンであり、通信ネットワーク４０を介して通信機器２０、提示制御装置３０、及びサーバ６０と通信を行うことができる。ＰＣ５０は、当該通信により取得したコンテンツを提示することができる。即ち、ＰＣ５０は、画像コンテンツを表示領域５１に表示し、音声コンテンツを図示しないスピーカから出力する。
【００２０】
サーバ６０は、通信ネットワーク４０を介して、通信機器２０、提示制御装置３０、及びＰＣ５０に各種のコンテンツを提供（配信、送信）する。
【００２１】
サーバ６０が提供するコンテンツはどのようなものであってもよい。サーバ６０が提供するコンテンツとしては、例えば、動画コンテンツ、静止画コンテンツ、音声コンテンツ（音楽コンテンツ等）が含まれる。動画コンテンツは、例えば、各種のテレビ番組、映画、各種教育機関で収録された授業動画等である。
【００２２】
なお、本実施形態に係るコンテンツには、そのコンテンツのメタ情報が含まれる。コンテンツのメタ情報は、そのコンテンツに関するあらゆる情報である。例えば、動画コンテンツのメタ情報には、動画コンテンツの所在を示すアドレス情報、動画コンテンツのタイトル（番組名含む）、カテゴリ、サムネイル、再生時間が含まれる。ここで、動画コンテンツのカテゴリは、ドラマ、ニュース、スポーツ等のカテゴリを示すものである。動画コンテンツの再生時間は、動画コンテンツの再生に要する時間である。
【００２３】
さらに、動画コンテンツのメタ情報には、登場キャラクタ名、出演者名、監督名、スタッフ名、あらすじ、著作者名、ユーザプロファイル、ユーザの利用履歴等が含まれる。ここで、ユーザプロファイルは、コンテンツを利用した各ユーザの世代、性別、職業、コンテンツの利用傾向（頻繁に利用するコンテンツのカテゴリ）等統計した情報である。ユーザの利用履歴は、ユーザがコンテンツを利用したことがあるか否かをコンテンツごとに示す情報である。なお、ユーザの利用履歴は、通信機器２０が記憶していてもよい。
【００２４】
また、音声コンテンツのメタ情報には、音声コンテンツの所在を示すアドレス情報、音声コンテンツのタイトル（楽曲名）、再生時間、アーティスト名、ユーザプロファイル、ユーザの利用履歴等が含まれる。
【００２５】
サーバ６０は、動画コンテンツ及び音声コンテンツをライブコンテンツまたはアーカイブコンテンツの形式で提供する。ここで、ライブコンテンツは、実行時間、即ち実行開始時刻と実行終了時刻とが予め設定されているコンテンツである。ライブコンテンツのメタ情報には、上記の情報に加え、実行開始時刻及び実行終了時刻が含まれる。アーカイブコンテンツは、任意の時間に実行可能なコンテンツである。また、サーバ６０は、動画コンテンツ及び音声コンテンツをストリーミングの形式で提供する。本実施形態では、「実行時間」は、コンテンツの実行開始時刻から実行終了時刻までの時間を意味するものとする。
【００２６】
通信ネットワーク４０は、通信機器２０、提示制御装置３０、ＰＣ５０、及びサーバ６０との通信経路となるものである。通信ネットワーク４０は、インターネットであっても良く、家庭や会社内のローカルネットワークであってもよい。
【００２７】
なお、図１では、情報処理システム１０は、通信機器２０を１つ、提示制御装置３０を２つ、ＰＣ５０を１つ、サーバを１つそれぞれ備えるが、各構成要素の数はこれらに限定されない。
【００２８】
＜２．通信機器の構成＞
次に、通信機器２０の構成を図１及び図２に基づいて説明する。図２に示すように、通信機器２０は、提示部２１、入力操作部２２、コンテンツ取得部２３、記憶部２４、及び制御部２５を備える。即ち、通信機器２０は、ＣＰＵ、ＲＯＭ、ＲＡＭ、タッチパネル、ディスプレイ、及び通信アンテナ等のハードウェア構造を有し、これらのハードウェア構造によって、上記の構成要素が実現される。
【００２９】
提示部２１は、いわゆるディスプレイであり、表示領域２１ａを備える。提示部２１は、表示領域２１ａに各種の画像コンテンツ等を表示し、各種の音声コンテンツを図示しないスピーカから出力する。入力操作部２２は、いわゆるタッチパネルであり、ユーザの入力操作に応じた操作情報を制御部２５に出力する。
【００３０】
コンテンツ取得部２３は、サーバ６０に通信ネットワーク４０を介して接続し、各種のコンテンツを取得する。また、コンテンツ取得部２３は、提示制御装置３０及びＰＣ５０との間で無線通信も行なう。
【００３１】
記憶部２４は、通信機器２０が各種の処理を実行するために必要な各種情報、例えば画像情報、音声情報、プレイリスト、プログラム等を記憶する。プレイリストは、動画プレイリストと音楽プレイリストとに区分される。
【００３２】
動画プレイリストは、概略的には、動画コンテンツと、動画コンテンツの実行時間とが関連付けられて登録されたものである。図９は、動画プレイリストの一例である動画プレイリスト１２０が表示領域２１ａに表示されている様子を示す。動画プレイリスト１２０は、複数の登録情報１２１と、オートプログラムボタン１２２と、ライブコンテンツボタン１２３と、アーカイブコンテンツボタン１２４と、バックボタン１２５と、実行ボタン１２６とを含む。動画プレイリスト１２０の名称は「動画プレイリストＡ１」となっている。動画プレイリストに登録可能な時間枠は、例えば、現在時刻を含む日の午前０時から午後１１時５９分までとなる。
【００３３】
登録情報１２１は、動画コンテンツのサムネイル１２１ａと、動画コンテンツの実行時間を示す実行時間情報１２１ｂと、動画コンテンツの概要を説明する説明文コンテンツ１２１ｃとが関連付けられた情報である。動画コンテンツがアーカイブコンテンツである場合には、登録情報１２１に実行時間情報１２１ｂは含まれないが、実行時間情報１２１ｂを含めても良い。
【００３４】
動画コンテンツの概要には、例えば、動画コンテンツのタイトル、登場キャラクタ名、登場人物名、監督名、あらすじ、著作者名等が含まれる。また、登録情報１２０のうち、ライブコンテンツに対応するものは、網掛け表示される。これにより、ユーザは、どの登録情報１２０がライブコンテンツに対応するのかを容易に判断することができる。登録情報１２１は、実行時間の降順、即ち、実行時間の早いものから順に並んでいる。
【００３５】
オートプログラムボタン１２２は、後述するオートプログラム機能、即ちアーカイブコンテンツ登録処理によりプレイリストに登録された登録情報１２０を表示するためのボタンである。即ち、ユーザがオートプログラムボタン１２２を押すと、登録情報１２０のうち、オートプログラム機能によりプレイリストに登録された登録情報１２０のみが表示領域２１ａに表示される。
【００３６】
ライブコンテンツボタン１２３は、ライブコンテンツに対応する登録情報１２０を表示するためのボタンである。即ち、ユーザがライブコンテンツボタン１２３を押すと、登録情報１２０のうち、ライブコンテンツに対応する登録情報１２０のみが表示領域２１ａに表示される。
【００３７】
アーカイブコンテンツボタン１２４は、アーカイブコンテンツに対応する登録情報１２０を表示するためのボタンである。即ち、ユーザがアーカイブコンテンツボタン１２４を押すと、登録情報１２０のうち、アーカイブコンテンツに対応する登録情報１２０のみが表示領域２１ａに表示される。
【００３８】
バックボタン１２５は、動画プレイリスト１２０の１段階前の画像を表示させるためのボタンである。実行ボタン１２６は、現在実行可能な動画コンテンツを実行させるためのボタンである。
【００３９】
音楽プレイリストは、概略的には、音楽コンテンツと、音楽コンテンツの実行時間とが関連付けられて登録されたものである。音楽プレイリストは、動画プレイリストと同様に、複数の登録情報で構成される。登録情報は、音楽コンテンツの実行時間と、音楽コンテンツの概要を示す説明文とが関連付けられた情報である。
【００４０】
記憶部２４に記憶されたプログラムは、通信機器２０に各機能ブロック、特にライブコンテンツ登録処理部２６、アーカイブコンテンツ登録処理部２８、及び報知制御部２９として機能させるためのプログラムである。
【００４１】
制御部２５は、通信機器２０の各構成要素を制御する。また、制御部２５は、ライブコンテンツ登録処理部２６、アーカイブコンテンツ登録処理部２８、及び報知制御部２９としても機能する。
【００４２】
＜３．提示制御装置の構成＞
次に、提示制御装置３０の構成を図１及び図３に基づいて説明する。提示制御装置３０は、画像受信部３１と、提示部３３と、記憶部３４と、通信部３５と、制御部３６と、を備える。即ち、提示制御装置３０は、ＣＰＵ、ＲＯＭ、ＲＡＭ、ハードディスク、ディスプレイ、及び通信アンテナ等のハードウェア構造を有し、これらのハードウェア構造によって、上記の構成要素が実現される。
【００４３】
画像受信部３１は、各種画像コンテンツ及び音声コンテンツを含む放送波を受信し、受信した放送波から、所望のコンテンツを抽出する。なお、放送波に含まれるコンテンツには、そのコンテンツのメタ情報が含まれる。画像受信部３１は、抽出したコンテンツを制御部３６に出力する。
【００４４】
提示部３３は、いわゆるディスプレイであり、表示領域（表示画面）３３ａを備える。提示部３３は、各種コンテンツを提示する。即ち、提示部３３は、画像コンテンツを表示領域３３ａに表示し、音声コンテンツを図示しないスピーカから出力する。
【００４５】
記憶部３４は、提示制御装置３０が行う処理に必要な各種情報、例えば各種画像情報、音声情報、及びプログラム等を記憶する。
【００４６】
通信部３５は、通信機器２０と無線通信を行なう他、通信ネットワーク４０を介して通信機器２０、ＰＣ５０、及びサーバ６０と通信を行う。通信部３５は、当該通信により得られたコンテンツを制御部３６に出力する。制御部３６は、提示制御装置３０の各構成要素を制御する。また、制御部３６は、画像受信部３１や通信部３５から与えられたコンテンツを提示部３３に提示させる。
【００４７】
＜４．情報処理システムによる処理の手順＞
次に、情報処理システムによる処理の手順を、通信機器２０が行う処理を中心として説明する。まず、ユーザが各種のプレイリストを参照する方法について説明する。制御部２５は、任意のタイミングで図７に示すトップメニュー画像１００を表示領域２１ａに表示する。
【００４８】
トップメニュー画像１００は、複数の項目選択用ボタン１０１を含む。各項目選択用ボタン１０１には、その項目選択用ボタン１０１を押すことで表示されるコンテンツ等が表示されている。ユーザは、「プレイリスト」が描かれた項目選択用ボタン１０１ａをタップ（タッチ）する。入力操作部２２は、タップ操作に応じた操作情報を制御部２５に出力する。
【００４９】
制御部２５は、操作情報に基づいて、図８に示すプレイリスト名一覧画像１１０を表示領域２１ａに表示する。プレイリスト名一覧画像１１０は、複数の項目選択用ボタン１１１と、バックボタン１１２と、エディットボタン１１３とを含む。各項目選択用ボタン１１１には、その項目選択用ボタン１１１を押すことで表示されるプレイリスト等が表示されている。バックボタン１１２は、表示領域２１ａに表示される画像をトップメニュー画像１００に戻すためのボタンである。エディットボタン１１３は、プレイリスト名一覧画像１１０等の編集を行うためのボタンである。
【００５０】
ユーザは、所望のプレイリストが描かれた項目選択用ボタン１１１をタップする。入力操作部２２は、タップ操作に応じた操作情報を制御部２５に出力する。制御部２５は、操作情報に基づいて、ユーザが選択したプレイリストを表示領域２１ａに表示する。例えば、制御部２５は、ユーザが「動画プレイリストＡ１」が描かれた項目選択用ボタン１１１をタップした場合には、図９に示す動画プレイリスト１２０を表示領域２１ａに表示する。
【００５１】
［ライブコンテンツ登録処理］
通信機器２０は、上記の処理の他、ライブコンテンツ登録処理、アーカイブコンテンツ登録処理、及びコンテンツ実行処理を行なう。通信機器２０は、ライブコンテンツ登録処理を行なうことで、ライブコンテンツを動画プレイリストに登録する。通信機器２０は、アーカイブコンテンツ登録処理を行なうことで、アーカイブコンテンツを動画プレイリストに登録する。通信機器２０は、コンテンツ実行処理を行なうことで、ライブコンテンツ実行前にアラートを行い、かつ、各コンテンツを実行する。
【００５２】
まず、ライブコンテンツ登録処理について、図４に基づいて説明する。なお、以下の説明では、通信機器２０は、動画コンテンツを動画プレイリストに登録し、実行するが、音楽コンテンツに対しても同様の処理を行なうことができる。
【００５３】
ステップＳ１０において、通信機器２０は、ライブコンテンツをサーバ６０からピックアップする。具体的には、通信機器２０のコンテンツ取得部２３は、サーバ６０にアクセスし、一または複数のライブコンテンツの各々について、メタ情報を取得する。コンテンツ取得部２３は、取得したメタ情報をライブコンテンツ登録処理部２６に出力する。ライブコンテンツ登録処理部２６は、メタ情報を記憶部２４に記憶する。
【００５４】
ここで、メタ情報の取得対象となるライブコンテンツは、コンテンツ取得部２３によって任意に選択されてもよいが、ユーザにより選択されてもよい。ユーザがライブコンテンツを選択するには、例えば、コンテンツ取得部２３は、サーバ６０にアクセスすることで、ライブコンテンツのメタ情報が一覧表示されたホームページを取得する。そして、ライブコンテンツ登録処理部２６は、当該ホームページを表示領域２１ａに表示する。ユーザは、表示領域２１ａに表示されたホームページを参照することで、所望のライブコンテンツを選択する。例えば、ユーザは、ホームページのうち、所望のライブコンテンツが描かれている部分にタップする。入力操作部２２は、タップ操作に応じた操作情報をライブコンテンツ登録処理部２６に出力する。ライブコンテンツ登録処理部２６は、操作情報に基づいて、ユーザが選択したライブコンテンツを認識し、認識したライブコンテンツに対応するメタ情報を記憶部２４に記憶する。
【００５５】
ライブコンテンツ登録処理部２６は、記憶部２４に記憶されたメタ情報のうち、いずれか一のライブコンテンツに関するメタ情報を取得し、取得したメタ情報に基づいて、ライブコンテンツ概要表示画像を生成する。ライブコンテンツ登録処理部２６は、ライブコンテンツ概要表示画像を表示領域２１ａに表示する。
【００５６】
図１０にライブコンテンツ概要表示画像の一例であるライブコンテンツ概要表示画像１３０を示す。ライブコンテンツ概要表示画像１３０は、ライブコンテンツのサムネイル１３１と、ライブコンテンツの実行時間を示す実行時間情報１３２と、ライブコンテンツの概要を説明する説明文コンテンツ１３３と、登録ボタン１３４とを含む。登録ボタン１３４は、ユーザがライブコンテンツをプレイリストに追加するためのボタンである。
【００５７】
ステップＳ２０において、ライブコンテンツ登録処理部２６は、入力操作部２２から与えられた操作情報に基づいて、ユーザが登録ボタンにタップしたかを判定する。ライブコンテンツ登録処理部２６は、ユーザが登録ボタンにタップしたと判定した場合には、ステップＳ３０に進み、ユーザが登録ボタンにタップしていないと判定した場合には、ステップＳ１０に戻る。ステップＳ１０に戻る場合、ライブコンテンツ登録処理部２６は、表示領域２１ａに表示するライブコンテンツ概要表示画像を切り替える。なお、ライブコンテンツ登録処理部２６は、ライブコンテンツ概要表示画像を任意のタイミングで切り替えてよいが、ユーザから切り替えの指示があった際に切り替えてもよい。
【００５８】
一方、ユーザは、ライブコンテンツ概要表示画像を参照することで、ライブコンテンツを動画プレイリストに登録するかを決定する。ユーザは、ライブコンテンツを動画プレイリストに登録すると決定した場合には、登録ボタン１３４にタップする。入力操作部２２は、タップ操作に応じた操作情報をライブコンテンツ登録処理部２６に出力する。
【００５９】
ステップＳ３０において、ライブコンテンツ登録処理部２６は、プレイリスト選択用画像を表示領域２１ａに表示する。図１１に、プレイリスト選択用画像の一例であるプレイリスト選択用画像１４０を示す。プレイリスト選択用画像１４０は、複数の項目選択用ボタン１４１と、キャンセルボタン１４２とを含む。項目選択用ボタン１４１は、ユーザが動画プレイリストを選択するためのボタンであり、プレイリスト名が表示されている。キャンセルボタン１４２は、ユーザがライブコンテンツの登録をキャンセルするためのボタンである。
【００６０】
ステップＳ４０において、ライブコンテンツ登録処理部２６は、入力操作部２２から与えられた操作情報に基づいて、いずれかの動画プレイリストが選択されたかを判定する。ライブコンテンツ登録処理部２６は、いずれかの動画プレイリストが選択されたと判定した場合には、ステップＳ５０に進む。一方、ライブコンテンツ登録処理部２６は、動画プレイリストが選択されない、即ちキャンセルボタン１４２がタップされたと判定した場合には、ステップＳ１０に戻る。
【００６１】
一方、ユーザは、プレイリスト選択用画像を参照することで、ライブコンテンツを登録するプレイリストを決定し、決定したプレイリストに対応する項目選択用ボタン１４１にタップする。ユーザは、ライブコンテンツの登録をキャンセルする場合には、キャンセルボタン１４２をタップする。入力操作部２２は、タップ操作に応じた操作情報をライブコンテンツ登録処理部２６に出力する。
【００６２】
ステップＳ５０において、ライブコンテンツ登録処理部２６は、操作情報に基づいて、ユーザが選択したプレイリストを特定する。ライブコンテンツ登録処理部２６は、特定したプレイリストに、ライブコンテンツと、ライブコンテンツの実行時間とを関連付けて登録する。具体的には、ライブコンテンツ登録処理部２６は、ライブコンテンツのメタ情報に基づいて、上述した登録情報を生成し、プレイリストに格納する。ここで、登録情報は、ライブコンテンツのサムネイルと、ライブコンテンツの実行時間を示す実行時間情報と、ライブコンテンツの概要を説明する説明文コンテンツとが関連付けられた情報である。
【００６３】
次いで、ライブコンテンツ登録処理部２６は、登録完了メッセージを表示領域２１ａに表示する。登録完了メッセージは、プレイリストにライブコンテンツの登録が行われたことを示すメッセージである。図１２に、登録完了メッセージノ一例として、登録完了メッセージ１５０を示す。その後、ライブコンテンツ登録処理部２６は、ライブコンテンツ登録処理を終了する。
【００６４】
［アーカイブコンテンツ登録処理］
次に、アーカイブコンテンツ登録処理について、図５に基づいて説明する。ステップＳ６０において、通信機器２０は、サーバ６０からアーカイブコンテンツをピックアップする。具体的には、通信機器２０のコンテンツ取得部２３は、サーバ６０にアクセスし、一または複数のアーカイブコンテンツの各々について、メタ情報を取得する。コンテンツ取得部２３は、取得したメタ情報をアーカイブコンテンツ登録処理部２８に出力する。アーカイブコンテンツ登録処理部２８は、メタ情報を記憶部２４に記憶する。
【００６５】
ここで、メタ情報の取得対象となるアーカイブコンテンツは、コンテンツ取得部２３によって任意に選択されてもよいが、後述する追加優先度が所定値以上であるものであってもよい。また、メタ情報の取得対象となるアーカイブコンテンツは、ユーザにより選択されてもよい。ユーザがアーカイブコンテンツを選択する方法としては、例えば以下の方法が考えられる。例えば、コンテンツ取得部２３は、サーバ６０にアクセスすることで、アーカイブコンテンツのメタ情報が一覧表示されたホームページを取得する。そして、アーカイブコンテンツ登録処理部２８は、当該ホームページを表示領域２１ａに表示する。
【００６６】
ユーザは、表示領域２１ａに表示されたホームページを参照することで、所望のアーカイブコンテンツを選択する。例えば、ユーザは、ホームページのうち、所望のライブコンテンツが描かれている部分にタップする。入力操作部２２は、タップ操作に応じた操作情報をアーカイブコンテンツ登録処理部２８に出力する。アーカイブコンテンツ登録処理部２８は、操作情報に基づいて、ユーザが選択したアーカイブコンテンツを認識し、認識したアーカイブコンテンツに対応するメタ情報を記憶部２４に記憶する。
【００６７】
ステップＳ８０において、アーカイブコンテンツ登録処理部２８は、ライブコンテンツが動画プレイリストに登録済みであるかを判定する。アーカイブコンテンツ登録処理部２８は、ライブコンテンツが動画プレイリストに登録済みであると判定した場合には、ステップＳ９０に進み、ライブコンテンツが動画プレイリストに登録されていないと判定した場合には、アーカイブコンテンツ登録処理を終了する。アーカイブコンテンツ登録処理部２８は、動画プレイリストに登録されたライブコンテンツ毎に、以下のステップ９０〜ステップＳ１２０の処理を行う。
【００６８】
ステップＳ９０において、アーカイブコンテンツ登録処理部２８は、ライブコンテンツ実行時間よりも前の空き時間枠を特定する。
【００６９】
ステップＳ１００において、アーカイブコンテンツ登録処理部２８は、記憶部２４に記憶されたアーカイブコンテンツのメタ情報に基づいて、各アーカイブコンテンツの関連度パラメータ値を算出する。
【００７０】
ここで、関連度パラメータは、例えば、タイトル関連度パラメータｘ１、カテゴリ関連度パラメータｘ２、出演者関連度パラメータｘ３、アーティスト関連度パラメータｘ４、制作者関連度パラメータｘ５、説明文関連度パラメータｘ６、ユーザプロファイル関連度パラメータｘ７、及び利用履歴パラメータｘ８に区分される。
【００７１】
タイトル関連度パラメータｘ１は、アーカイブコンテンツのタイトルとライブコンテンツのタイトルとの関連性を示すパラメータである。タイトル関連度パラメータｘ１は、タイトルの少なくとも一部が共通する場合、１となり、タイトルが異なる場合、０となる。例えば、ライブコンテンツ及びアーカイブコンテンツが同一シリーズのドラマを構成する場合、これらのコンテンツのタイトルは共通する可能性が高い。
【００７２】
カテゴリ関連度パラメータｘ２は、アーカイブコンテンツのカテゴリとライブコンテンツのカテゴリとの関連性を示すパラメータである。カテゴリ関連度パラメータｘ２は、カテゴリが共通する場合、１となり、カテゴリが異なる場合、０となる。
【００７３】
出演者関連度パラメータｘ３は、アーカイブコンテンツの出演者とライブコンテンツの出演者との関連性を示すパラメータである。出演者関連度パラメータｘ３は、出演者の少なくとも一部が共通する場合、１となり、出演者が全て異なる場合、０となる。出演者関連度パラメータｘ３は、共通する出演者の数に比例して大きくなってもよい。
【００７４】
アーティスト関連度パラメータｘ４は、アーカイブコンテンツのアーティストとライブコンテンツのアーティストとの関連性を示すパラメータである。アーティスト関連度パラメータｘ４は、アーティストの少なくとも一部が共通する場合、１となり、アーティストが全て異なる場合、０となる。アーティスト関連度パラメータｘ４は、共通するアーティストの数に比例して大きくなってもよい。
【００７５】
制作者関連度パラメータｘ５は、アーカイブコンテンツの制作者（著作者、監督、スタッフ）とライブコンテンツの制作者との関連性を示すパラメータである。制作者関連度パラメータｘ５は、制作者の少なくとも一部が共通する場合、１となり、制作者が全て異なる場合、０となる。制作者関連度パラメータｘ５は、共通する制作者の数に比例して大きくなってもよい。
【００７６】
説明文関連度パラメータｘ６は、アーカイブコンテンツの説明文コンテンツとライブコンテンツの説明文コンテンツとの関連性を示すパラメータである。説明文関連度パラメータｘ６は、説明文内の少なくとも一部のキーワードが共通する場合、１となり、説明文内のキーワードが全て異なる場合、０となる。説明文関連度パラメータｘ６は、共通するキーワードの数に比例して大きくなってもよい。なお、アーカイブコンテンツ登録処理部２８は、説明文コンテンツを形態素解析等することで、説明文コンテンツから各種のキーワードを抽出し、抽出したキーワードに基づいて、説明文関連度パラメータｘ６を算出する。
【００７７】
ユーザプロファイル関連度パラメータｘ７は、アーカイブコンテンツのユーザプロファイルとライブコンテンツのユーザプロファイルとの関連性を示すパラメータである。ユーザプロファイル関連度パラメータｘ７は、ユーザプロファイルの少なくとも一部が共通する場合、１となり、ユーザプロファイルが全て異なる場合、０となる。ユーザプロファイル関連度パラメータｘ７は、ユーザプロファイルの全項目のうち、共通する項目の数に比例して大きくなってもよい。
【００７８】
利用履歴パラメータｘ８は、アーカイブコンテンツを通信機器２０のユーザが利用したかを示すパラメータである。利用履歴パラメータｘ８は、アーカイブコンテンツをユーザが利用したことがある場合には、１となり、アーカイブコンテンツをユーザが利用したことがない場合には、０となる。
【００７９】
ステップＳ１１０において、アーカイブコンテンツ登録処理部２８は、関連度パラメータを統計することで、追加優先度ｙを算出する。なお、追加優先度ｙは、以下の式（１）で表される。なお、アーカイブコンテンツ登録処理部２８は、アーカイブコンテンツの再生時間が空き時間枠よりも長い場合、追加優先度ｙを０に設定する。
【００８０】
ｙ＝ｋ１×ｘ１＋ｋ２×ｘ２＋ｋ３×ｘ３＋ｋ４×ｘ４＋ｋ５×ｘ５＋ｋ６×ｘ６＋ｋ７×ｘ７−ｋ８×ｘ８  ・・・（１）
ここで、ｋ１〜ｋ８は重み係数であり、０以上の実数である。
【００８１】
式（１）によれば、パラメータｘ１〜ｘ７は追加優先度を高くするパラメータであり、利用履歴パラメータｘ８は追加優先度を低くするパラメータである。重み係数ｋ１〜ｋ８は、パラメータｘ１〜ｘ８の重要性を調整するためのパラメータである。即ち、アーカイブコンテンツ登録処理部２８は、重み係数ｋ１〜ｋ８を調整することで、パラメータｘ１〜ｘ８の重要性を調整することができる。例えば、アーカイブコンテンツ登録処理部２８は、タイトル関連度パラメータｘ１を他のパラメータｘ２〜ｘ８よりも重要視したい場合、重み係数ｋ１を他の重み係数ｋ２〜ｋ８よりも大きくする。
【００８２】
ステップＳ１２０において、アーカイブコンテンツ登録処理部２８は、追加優先度の高いアーカイブコンテンツから順に動画プレイリストの空き時間枠に登録していく。具体的には、アーカイブコンテンツ登録処理部２８は、追加優先度の最も高いアーカイブコンテンツを格納対象コンテンツとし、ライブコンテンツの実行開始時刻を空き時間枠終了時刻とする。
【００８３】
そして、アーカイブコンテンツ登録処理部２８は、空き時間枠終了時刻までの時間が所定のインターバル時間（例えば１０分）以下となる時刻を、格納対象コンテンツの実行終了時刻として決定する。アーカイブコンテンツ登録処理部２８は、格納対象コンテンツの実行終了時刻よりも格納対象コンテンツの再生時間だけ前の時刻を格納対象コンテンツの実行開始時刻として決定する。これにより、アーカイブコンテンツ登録処理部２８は、格納対象コンテンツの実行時間を決定する。そして、アーカイブコンテンツ登録処理部２８は、格納対象コンテンツに関する登録情報（図９参照）を生成し、動画プレイリストに格納する。
【００８４】
その後、アーカイブコンテンツ登録処理部２８は、残りのアーカイブコンテンツのうち、追加優先度の最も高いアーカイブコンテンツを格納対象コンテンツとし、登録済みのアーカイブコンテンツの実行開始時刻を空き時間枠終了時刻とする。そして、アーカイブコンテンツ登録処理部２８は、空き時間枠が所定の格納終了時間（例えば５分）以下となるか、空き時間枠に登録可能なアーカイブコンテンツが記憶部２４に存在しなくなるまで、上記と同様の処理を繰り返す。その後、アーカイブコンテンツ登録処理部２８は、アーカイブコンテンツ登録処理を終了する。これにより、ユーザは、ライブコンテンツの実行開始時刻に近づくほど、ライブコンテンツとの関連度が高いアーカイブコンテンツを視認することができる。
【００８５】
［コンテンツ実行処理］
次に、コンテンツ実行処理について、図６に基づいて説明する。ステップＳ１３０において、報知制御部２９は、現在時刻から直近のコンテンツ（現在時刻以降で最初に実行開始時刻が訪れるコンテンツ）までの残り時間が所定の報知開始時間（例えば１０分）以下であるという条件が満たされるかを判定する。報知制御部２９は、この条件が満たされると判定した場合、ステップＳ１４０に進み、この条件が満たされないと判定した場合には、コンテンツ実行処理を終了する。
【００８６】
ステップＳ１４０において、報知制御部２９は、直近のコンテンツがライブコンテンツであるかを判定する。報知制御部２９は、直近のコンテンツがライブコンテンツであると判定した場合には、ステップＳ１５０に進み、直近のコンテンツがアーカイブコンテンツであると判定した場合には、ステップＳ２００に進む。
【００８７】
ステップＳ１５０において、コンテンツ取得部２３は、２台の提示制御装置３０、及びＰＣ５０のうち、無線通信が可能な機器、即ち無線通信可能機器を特定する。なお、無線通信可能機器は、例えば、電源がオンされており、かつ、コンテンツ取得部２３の無線通信範囲内に存在する機器となる。コンテンツ取得部２３は、無線通信可能機器に関する無線通信情報を生成し、報知制御部２９に出力する。
【００８８】
報知制御部２９は、動画プレイリストにライブコンテンツが登録されている旨を通信機器２０及び無線通信可能機器に提示する。具体的には、例えば、報知制御部２９は、図１３に示す報知画像１６０を生成する。報知画像１６０は、残り時間を示す残り時間情報１６１と、ライブコンテンツの概要を示すライブコンテンツ概要情報１６２とを含む。ライブコンテンツ概要情報１６２は、ライブコンテンツのサムネイル１６２ａと、ライブコンテンツの概要を説明する説明文コンテンツ１６２ｂとを含む。そして、報知制御部２９は、報知画像１６０を表示領域２１ａに表示させる。
【００８９】
報知制御部２９は、無線通信可能機器が存在する場合には、報知画像１６０をコンテンツ取得部２３に出力し、コンテンツ取得部２３は、無線通信可能機器に報知画像１６０を送信する。無線通信可能機器は、報知画像１６０を表示する。例えば、無線通信可能機器が提示制御装置３０となる場合、提示制御装置３０は、図１４に示すように、表示領域３３ａに報知画像１６０を表示する。なお、提示制御装置３０は、ユーザによる表示領域３３ａの視認を妨げないように、表示領域３３ａの隅に報知画像１６０を表示する。もちろん、提示制御装置３０は、他の位置に報知画像１６０を表示してもよい。同様に、無線通信可能機器がＰＣ５０となる場合、ＰＣ５０は、表示領域５１に報知画像１６０を表示する。これにより、報知制御部２９は、動画プレイリストにライブコンテンツが登録されている旨を通信機器２０及び無線通信可能機器に提示する。即ち、報知制御部２９は、ユーザに対するアラートを行なう。
【００９０】
なお、報知制御部２９は、報知画像１６０と同等の情報を含む音声情報を生成し、音声情報を通信機器２０及び無線通信可能機器に出力させるようにしてもよい。
【００９１】
ステップＳ１６０において、報知制御部２９は、ライブコンテンツを実行する機器をユーザに選択させる。具体的には、報知制御部２９は、例えば図１５に示すように、通信機器２０及び無線通信可能機器が一覧表示された実行機器選択用画像１７０を生成する。そして、報知制御部２９は、実行機器選択用画像１７０を表示領域２１ａに表示する。
【００９２】
実行機器選択用画像１７０は、複数の項目選択用ボタン１７１と、無視ボタン１７２とを含む。項目選択用ボタン１７１は、ユーザがライブコンテンツを実行する機器を選択するためのボタンである。項目選択用ボタン１７１には、通信機器２０または無線通信可能機器の名称が表示されている。図１５に示す例では、２台の提示制御装置３０（提示制御装置３０ａ、３０ｂ）とＰＣ５０とが無線通信可能機器となっている。無視ボタン１７２は、ユーザがライブコンテンツを無視するためのボタンである。
【００９３】
ステップＳ１７０において、報知制御部２９は、入力操作部２２から与えられた操作情報に基づいて、ユーザがいずれかの機器を選択したかを判定する。報知制御部２９は、ユーザがいずれかの機器を選択したと判定した場合には、ステップＳ１８０に進み、ユーザが機器を選択しない、即ち無視ボタン１７２をタップしたと判定した場合には、コンテンツ実行処理を終了する。
【００９４】
一方、ユーザは、いずれかの項目選択用ボタン１７１をタップすることで、ライブコンテンツを実行する機器を選択することができる。また、ユーザは、ライブコンテンツを無視する場合、無視ボタン１７２をタップする。入力操作部２２は、タップ操作に応じた操作情報を報知制御部２９に出力する。
【００９５】
なお、報知制御部２９は、無線通信可能機器が存在しない場合、ステップＳ１６０において、上述した実行機器選択用画像１７０の代わりに、図１６に示す実行有無選択用画像１８０を表示領域２１ａに表示してもよい。実行有無選択用画像１８０は、通信機器２０がライブコンテンツを実行するか否かをユーザに選択させるための画像である。実行有無選択用画像１８０は、実行ボタン１８１と、無視ボタン１８２とを含む。ステップＳ１７０において、報知制御部２９は、ユーザがタップしたボタンを判定する。報知制御部２９は、ユーザが実行ボタン１８１をタップしたと判定した場合には、ステップＳ１８０に進み、ユーザが無視ボタン１８２をタップした場合には、コンテンツ実行処理を終了する。
【００９６】
ステップＳ１８０において、制御部２５は、ライブコンテンツの実行開始時刻まで待機する。ステップＳ１９０において、制御部２５は、ユーザが選択した機器にライブコンテンツを提示する。
【００９７】
具体的には、制御部２５は、ユーザが通信機器２０を選択した場合には、ライブコンテンツのメタ情報を含むコンテンツ取得要求情報を生成し、コンテンツ取得部２３に出力する。コンテンツ取得部２３は、コンテンツ取得要求情報に基づいて、サーバ６０からライブコンテンツを取得し、制御部２５に出力する。制御部２５は、ライブコンテンツを表示領域２１ａに表示する。表示例を図１７に示す。この例では、制御部２５は、ライブコンテンツ表示用画像２００を表示領域２１ａに表示している。ライブコンテンツ表示用画像２００は、ライブコンテンツ２１０と、ライブコンテンツの概要を説明する説明文コンテンツ２１１とを含む。
【００９８】
一方、制御部２５は、ユーザが無線通信可能機器を選択した場合には、コンテンツ取得要求情報をコンテンツ取得部２３に出力する。コンテンツ取得部２３は、無線通信可能機器にコンテンツ取得要求情報を送信する。無線通信可能機器は、コンテンツ取得要求情報に基づいて、ライブコンテンツをサーバ６０から取得し、取得したライブコンテンツを表示する。例えば、ユーザが無線通信可能機器として提示制御装置３０ａ（または３０ｂ）を選択した場合、提示制御装置３０ａ（または３０ｂ）は、サーバ６０からライブコンテンツを取得し、表示領域３３ａにライブコンテンツを表示する。表示例を図１８に示す。この例では、ライブコンテンツ２５０が表示領域３３ａに表示されている。同様に、ユーザが無線通信可能機器としてＰＣ５０を選択した場合には、ＰＣ５０は、サーバ６０からライブコンテンツを取得し、表示領域５１にライブコンテンツを表示する。その後、通信機器２０は、コンテンツ実行処理を終了する。
【００９９】
一方、ステップＳ２００において、制御部２５は、ユーザ操作に基づいて、現在実行可能なアーカイブコンテンツを表示領域２１ａに表示する。例えば、表示領域２１ａに図９に示す動画プレイリスト１２０が表示されている状態で、ユーザが実行ボタン１２６をタップした場合、制御部２５は、現在実行可能なアーカイブコンテンツを表示領域２１ａに表示する。その後、制御部２５は、コンテンツ表示処理を終了する。
【０１００】
なお、ライブコンテンツ及びアーカイブコンテンツを実行する方法は上記に限られない。例えば、制御部２５は、ユーザが実行ボタン１２６をタップした場合、動画プレイリストに登録されている各コンテンツを現在時刻に近い順から表示領域２１ａに表示する。また、制御部２５は、ユーザが登録情報１２１のうち、アーカイブコンテンツに対応する登録情報１２１をタップした場合、そのアーカイブコンテンツを表示領域２１ａに表示する。さらに、制御部２５は、動画プレイリストをコンテンツ取得部２３に出力し、コンテンツ取得部２３は、無線通信可能機器に動画プレイリストを送信する。そして、無線通信可能機器は、動画プレイリストに登録されている各コンテンツを現在時刻に近い順から表示領域に表示する。
【０１０１】
以上により、情報処理システム１０は、アーカイブコンテンツをライブコンテンツ実行時間の前の時間枠に登録するので、ライブコンテンツの実行前にアーカイブコンテンツをユーザに提示することができる。これにより、情報処理システム１０は、ライブコンテンツが登録されていることをユーザに促すことができるので、ユーザにライブコンテンツをより確実に利用させることができる。
【０１０２】
また、情報処理システム１０は、アーカイブコンテンツ実行時間とライブコンテンツ実行時間との間の時間をインターバル時間以下とすることができる。即ち、情報処理システム１０は、アーカイブコンテンツ実行時間とライブコンテンツ実行時間との間の時間を短くすることができる。これにより、情報処理システム１０は、ユーザがアーカイブコンテンツの利用後にライブコンテンツを忘れてしまう可能性を低減することができる。
【０１０３】
さらに、情報処理システム１０は、現在時刻がライブコンテンツの実行開始時刻よりも前の時刻である場合に、ライブコンテンツが動画プレイリストに登録されている旨を報知する。したがって、情報処理システム１０は、ライブコンテンツが登録されていることをユーザに強く促すことができる。
【０１０４】
さらに、情報処理システム１０は、現在時刻からライブコンテンツの実行開始時刻までの残り時間を報知するので、ライブコンテンツが登録されていることをユーザに強く促すことができる。
【０１０５】
さらに、情報処理システム１０は、残り時間が所定の報知開始時間以下となった場合に、残り時間を報知する。したがって、情報処理システム１０は、過度な報知を控えることができるので、ユーザが報知に煩わしさを感じる可能性を低減することができる。
【０１０６】
さらに、情報処理システム１０は、ライブコンテンツの概要を報知するので、ライブコンテンツが登録されていることをユーザに強く促すことができる。さらに、情報処理システム１０は、ユーザにライブコンテンツを利用するか否かの判断材料を与えることができる。
【０１０７】
また、情報処理システム１０は、追加優先度の大きいアーカイブコンテンツから動画プレイリストに登録する。したがって、情報処理システム１０は、このようなアーカイブコンテンツをユーザに提示することで、ライブコンテンツが登録されていることをユーザに強く促すことができる。
【０１０８】
また、情報処理システム１０は、追加優先度を上述した式（１）に基づいて算出することで、例えば、ライブコンテンツと出演者等が共通するアーカイブコンテンツをユーザに提示することができる。情報処理システム１０は、ライブコンテンツが連続ドラマのうちいずれかの回である場合、同じ連続ドラマの他の回、或いは他の回のダイジェストをアーカイブコンテンツとしてユーザに提示することができる。また、情報処理システム１０は、すでにユーザが利用したアーカイブコンテンツ以外のアーカイブコンテンツをユーザに提示することができる。なお、情報処理システム１０は、追加優先度の大きいアーカイブコンテンツをライブコンテンツの後（好ましくは実行終了時刻から所定時間以内、即ち直後）の空き時間枠に登録してもよい。
【０１０９】
なお、情報処理システム１０の応用的な利用例として、情報処理システム１０を映画館に適用することが考えられる。この場合、情報処理システム１０は、当日中に上映予定の映画をライブコンテンツとみなし、ライブコンテンツの開始前に上映予定の映画に関連するアーカイブコンテンツをユーザの通信機器２０に配信する。これにより、ユーザは、映画が開始される前にアーカイブコンテンツを楽しむことができる。
【０１１０】
以上、添付図面を参照しながら本開示の好適な実施形態について詳細に説明したが、本開示の技術的範囲はかかる例に限定されない。本開示の技術分野における通常の知識を有する者であれば、特許請求の範囲に記載された技術的思想の範疇内において、各種の変更例または修正例に想到し得ることは明らかであり、これらについても、当然に本開示の技術的範囲に属するものと了解される。
【０１１１】
なお、以下のような構成も本開示の技術的範囲に属する。
（１）
実行時間が予め設定されているライブコンテンツと、前記ライブコンテンツの実行時間とを関連付けてプレイリストに登録するライブコンテンツ登録処理部と、
前記ライブコンテンツの実行時間よりも前の時間を、任意の時間に実行可能なアーカイブコンテンツの実行時間として決定し、前記アーカイブコンテンツと、前記アーカイブコンテンツの実行時間とを前記プレイリストに登録するアーカイブコンテンツ登録処理部と、を備える、情報処理装置。
（２）
前記アーカイブコンテンツ登録処理部は、前記ライブコンテンツの実行開始時刻までの時間が所定のインターバル時間以下となる時刻を、前記アーカイブコンテンツの実行終了時刻として決定する、前記（１）記載の情報処理装置。
（３）
現在時刻が前記ライブコンテンツの実行開始時刻よりも前の時刻である場合に、前記ライブコンテンツが前記プレイリストに登録されている旨を報知する制御を行う報知制御部を備える、前記（１）または（２）記載の情報処理装置。
（４）
前記報知制御部は、現在時刻から前記ライブコンテンツの実行開始時刻までの残り時間を報知する制御を行う、前記（３）記載の情報処理装置。
（５）
前記報知制御部は、前記残り時間が所定の報知開始時間以下となった場合に、前記残り時間を報知する制御を行う、前記（４）記載の情報処理装置。
（６）
前記報知制御部は、前記ライブコンテンツの概要を報知する、前記（３）〜（５）のいずれか１項に記載の情報処理装置。
（７）
複数のアーカイブコンテンツを取得するコンテンツ取得部を備え、
前記アーカイブコンテンツ登録処理部は、前記複数のアーカイブコンテンツの各々について、追加優先度を算出し、前記追加優先度の大きいアーカイブコンテンツから前記プレイリストに登録する、前記（１）〜（６）のいずれか１項に記載の情報処理装置。
（８）
実行時間が予め設定されているライブコンテンツと、前記ライブコンテンツの実行時間とを関連付けてプレイリストに登録することと、
前記ライブコンテンツの実行時間よりも前の時間を、任意の時間に実行可能なアーカイブコンテンツの実行時間として決定し、前記アーカイブコンテンツと、前記アーカイブコンテンツの実行時間とを前記プレイリストに登録することと、を含む、情報処理方法。
（９）
コンピュータに、
実行時間が予め設定されているライブコンテンツと、前記ライブコンテンツの実行時間とを関連付けてプレイリストに登録するライブコンテンツ登録処理機能と、
前記ライブコンテンツの実行時間よりも前の時間を、任意の時間に実行可能なアーカイブコンテンツの実行時間として決定し、前記アーカイブコンテンツと、前記アーカイブコンテンツの実行時間とを前記プレイリストに登録するアーカイブコンテンツ登録処理機能と、を実現させる、プログラム。
（１０）
前記アーカイブコンテンツ登録処理機能は、前記ライブコンテンツの実行開始時刻までの時間が所定のインターバル時間以下となる時刻を、前記アーカイブコンテンツの実行終了時刻として決定する、前記（９）記載のプログラム。
（１１）
現在時刻が前記ライブコンテンツの実行開始時刻よりも前の時刻である場合に、前記ライブコンテンツが前記プレイリストに登録されている旨を報知する報知制御機能を備える、前記（９）または（１０）に記載のプログラム。
（１２）
前記報知制御機能は、現在時刻から前記ライブコンテンツの実行開始時刻までの残り時間を報知する制御を行う、前記（１１）記載のプログラム。
（１３）
前記報知制御機能は、前記残り時間が所定の報知開始時間以下となった場合に、前記残り時間を報知する制御を行う、前記（１２）記載のプログラム。
（１４）
前記報知制御機能は、前記ライブコンテンツの概要を報知する、前記（１１）〜（１３）のいずれか１項に記載のプログラム。
（１５）
複数のアーカイブコンテンツを取得するコンテンツ取得機能を備え、
前記アーカイブコンテンツ登録処理機能は、前記複数のアーカイブコンテンツの各々について、追加優先度を算出し、前記追加優先度の大きいアーカイブコンテンツから前記プレイリストに登録する、前記（９）〜（１４）のいずれか１項に記載のプログラム。
【符号の説明】
【０１１２】
１０    情報処理システム
２０    通信機器
２６    ライブコンテンツ登録処理部
２８    アーカイブコンテンツ登録処理部
２９    報知制御部
３０    提示制御装置
５０    パーソナルコンピュータ
【図１】
2013030899.tif 000003
【図２】
2013030899.tif 000004
【図３】
2013030899.tif 000005
【図４】
2013030899.tif 000006
【図５】
2013030899.tif 000007
【図６】
2013030899.tif 000008
【図７】
2013030899.tif 000009
【図８】
2013030899.tif 000010
【図９】
2013030899.tif 000011
【図１０】
2013030899.tif 000012
【図１１】
2013030899.tif 000013
【図１２】
2013030899.tif 000014
【図１３】
2013030899.tif 000015
【図１４】
2013030899.tif 000016
【図１５】
2013030899.tif 000017
【図１６】
2013030899.tif 000018
【図１７】
2013030899.tif 000019
【図１８】
2013030899.tif 000020